(57)【要約】【課題】短期間かつ低コストで、ゆがみの発生を抑えてソーラーパネル架台を設置することのできる、ソーラーパネル架台の施工方法、及び該施工方法によって設置されるソーラーパネル架台を提供する。【解決手段】ソーラーパネル架台１００の施工方法は、地盤面に第１支柱１１０を複数埋設する工程と、地面から各々の第１支柱１１０の上端までの高さを測定する工程と、基準高さよりも高さの低い第１支柱１１０の上方にスペーサー１２０を設置して、前記高さを揃える工程と、スペーサー１２０又は第１支柱１１０の上端に第２支柱１３０を設置する工程と、各々の第２支柱１３０の上端に、第２支柱１３０に対して傾斜角を有するようにソーラーパネル支持部材１４０を取り付ける工程と、各々のソーラーパネル支持部材１４０を連結する工程と、ソーラーパネル支持部材１４０上にソーラーパネル１６０を敷設する工程と、を含む。【選択図】図１
2015078566.tif 000002
【特許請求の範囲】
【請求項１】
地盤面に第１支柱を複数埋設する工程と、
地面から各々の前記第１支柱の上端までの高さを測定する工程と、
基準高さよりも高さの低い前記第１支柱の上方にスペーサーを設置して、前記高さを揃える工程と、
前記スペーサー又は前記第１支柱の上端に第２支柱を設置する工程と、
各々の前記第２支柱の上端に、前記第２支柱に対して傾斜角を有するようにソーラーパネル支持部材を取り付ける工程と、
各々の前記ソーラーパネル支持部材を連結する工程と、
前記ソーラーパネル支持部材上にソーラーパネルを敷設する工程と、
を含むソーラーパネル架台の施工方法。
【請求項２】
各々の前記第１支柱の上端に、前記第２支柱の下端を、支柱連結部材で連結する工程をさらに含む、請求項１に記載のソーラーパネル架台の施工方法。
【請求項３】
前記第２支柱と、前記ソーラーパネル支持部材と、の間にスペーサーを設置する工程をさらに含む、請求項１又は２に記載のソーラーパネル架台の施工方法。
【請求項４】
地盤面に複数埋設された第１支柱であって、ここで、地面から前記第１支柱の上端までの高さが基準高さよりも低い前記第１支柱の上方にスペーサーが設置されて前記高さが揃えられた当該第１支柱と、
前記スペーサー又は前記第１支柱の上端に設置された第２支柱と、
各々の前記第２支柱の上端に、前記第２支柱に対して傾斜角を有するように取り付けられて、各々連結されたソーラーパネル支持部材と、
前記ソーラーパネル支持部材上に敷設されたソーラーパネルと、
を備えるソーラーパネル架台。
【請求項５】
各々の前記第１支柱の上端に、前記第２支柱の下端を連結する支柱連結部材をさらに備える、請求項４に記載のソーラーパネル架台。
【請求項６】
前記第２支柱と、前記ソーラーパネル支持部材と、の間に設置されるスペーサーをさらに備える、請求項４又は５に記載のソーラーパネル架台。
【発明の詳細な説明】
【技術分野】
【０００１】
本発明は、ソーラーパネル架台の施工方法及びソーラーパネル架台に関する。
【背景技術】
【０００２】
近年、太陽光に代表される“再生可能エネルギー”が注目されている。わが国においても、昨今、多数の大規模太陽光発電所が建設されるようになった。
【０００３】
大規模太陽光発電所においては、広大な敷地に、ソーラーパネルを、横方向に多数並べて設置する必要がある。そこで、ソーラーパネルを設置するためのソーラーパネル架台の施工方法について、いくつか報告がなされている。
【０００４】
特許文献１には、短柱及び長柱で一対となる支柱を少なくとも２組有するソーラーパネル架台が開示され、各々の支柱が鉄筋コンクリート基礎で支持された態様（図１０、図１１他）が記載されている。また、特許文献２には、鋼製基礎枠を鉛直状に埋設することで、支柱を鉛直状に立設させる手段及び方法が開示されている。
【先行技術文献】
【特許文献】
【０００５】
【特許文献１】特開２０１２−６９９２９号公報
【特許文献２】特開２００１−２３４６４６号公報
【発明の概要】
【発明が解決しようとする課題】
【０００６】
しかしながら、特許文献１に記載のソーラーパネル架台を多数設置する場合には、コンクリート基礎を施工する必要があり、工費が高くなっていた。加えて、長期間の工期を必要とし、さらには解体にも時間を要するという難点を有していた。また、特許文献２に記載の方法では、コンクリート基礎は必要ないものの、横一列に立設させた支柱間で高さの違いが生じ、架台全体にわたりゆがみが発生した場合、そのゆがみを補正するには支柱を埋設し直す必要があった。このため、ソーラーパネルを横方向に多数連結させて設置する大規模太陽光発電所においては、施工性に課題を残していた。
【０００７】
本発明は、上記事情に鑑みてなされたものであり、短期間かつ低コストで、ゆがみの発生を抑えてソーラーパネル架台を設置することのできる、ソーラーパネル架台の施工方法、及びソーラーパネル架台を提供することを目的とする。
【課題を解決するための手段】
【０００８】
上記目的を達成するため、本発明の第１の観点に係るソーラーパネル架台の施工方法は、
地盤面に第１支柱を複数埋設する工程と、
地面から各々の前記第１支柱の上端までの高さを測定する工程と、
基準高さよりも高さの低い前記第１支柱の上方にスペーサーを設置して、前記高さを揃える工程と、
前記スペーサー又は前記第１支柱の上端に第２支柱を設置する工程と、
各々の前記第２支柱の上端に、前記第２支柱に対して傾斜角を有するようにソーラーパネル支持部材を取り付ける工程と、
各々の前記ソーラーパネル支持部材を連結する工程と、
前記ソーラーパネル支持部材上にソーラーパネルを敷設する工程と、
を含む。
【０００９】
各々の前記第１支柱の上端に、前記第２支柱の下端を、支柱連結部材で連結する工程をさらに含んでいてもよい。
【００１０】
前記第２支柱と、前記ソーラーパネル支持部材と、の間にスペーサーを設置する工程をさらに含んでいてもよい。
【００１１】
本発明の第２の観点に係るソーラーパネル架台は、
地盤面に複数埋設された第１支柱であって、ここで、地面から前記第１支柱の上端までの高さが基準高さよりも低い前記第１支柱の上方にスペーサーが設置されて前記高さが揃えられた当該第１支柱と、
前記スペーサー又は前記第１支柱の上端に設置された第２支柱と、
各々の前記第２支柱の上端に、前記第２支柱に対して傾斜角を有するように取り付けられて、各々連結されたソーラーパネル支持部材と、
前記ソーラーパネル支持部材上に敷設されたソーラーパネルと、
を備える。
【００１２】
各々の前記第１支柱の上端に、前記第２支柱の下端を連結する支柱連結部材をさらに備えていてもよい。
【００１３】
前記第２支柱と、前記ソーラーパネル支持部材と、の間に設置されるスペーサーをさらに備えていてもよい。
【発明の効果】
【００１４】
本発明によれば、短期間かつ低コストで、ゆがみの発生を抑えてソーラーパネル架台を設置することのできる、ソーラーパネル架台の施工方法、及び該施工方法によって設置されるソーラーパネル架台を提供することができる。
【図面の簡単な説明】
【００１５】
【図１】本発明の一実施形態であるソーラーパネル架台を模式的に表した斜視図である。
【図２】本発明の一実施形態であるソーラーパネル架台を模式的に表した側面図である。
【図３】本発明の一実施形態であるソーラーパネル架台を複数連結させた状態を模式的に表した正面図である。
【図４】第１支柱の上端部近傍を模式的に表した斜視図である。（ａ）は、第１支柱に支柱連結部材を取りつけた状態を模式的に表した斜視図、（ｂ）は、支柱連結部材上にスペーサーを置いた状態を模式的に表した斜視図である。
【図５】第１支柱と第２支柱との連結部分を模式的に表した側面図である。（ａ）は、スペーサーを設置していない状態を模式的に表した側面図、（ｂ）は、スペーサーを設置している状態を模式的に表した側面図である。
【図６】第２支柱とソーラーパネル支持部材との連結部分を模式的に表した側面図である。（ａ）は、スペーサーを設置していない状態を模式的に表した側面図、（ｂ）は、スペーサーを設置している状態を模式的に表した側面図である。
【図７】スペーサーを模式的に表した平面図である。
【発明を実施するための形態】
【００１６】
以下、本発明の実施形態について詳細に説明する。まず、本発明の実施形態に係るソーラーパネル架台１００を、図面を参照して説明する。
【００１７】
図１及び図２に示すように、本発明の実施形態に係るソーラーパネル架台１００は、その大部分が地中に鉛直状に埋設された第１支柱１１０と、第１支柱１１０の上端に立設される第２支柱１３０と、第１支柱１１０と第２支柱１３０とを連結する支柱連結部材１５０と、第２支柱１３０上に設置されるソーラーパネル支持部材１４０と、ソーラーパネル支持部材１４０上に敷設されるソーラーパネル１６０と、を備える。そして、本発明の実施形態に係るソーラーパネル架台１００は、図３に示すように、横方向に複数連結させて、立設される。また、本明細書において、ソーラーパネル架台１００の前後の向きは、図２で示される通りであり、ソーラーパネル架台１００の横方向の向きは、図３で示される通りである。
【００１８】
第１支柱１１０には、本実施形態では、図１及び図４に示すように、Ｈ形鋼が用いられている。第１支柱１１０は、後述する施工方法に示すように、ソーラーパネル架台１００を設置する場所の地盤面に埋設される。第１支柱１１０は、その前側面及び後側面の上端部近傍に、後述するボルト１５１を通す孔（図示せず）を２つずつ備える。本発明の実施形態に係るソーラーパネル架台１００は、コンクリート基礎を要することなく、第１支柱１１０を埋設することで設置される。
【００１９】
支柱連結部材１５０は、図４（ａ）に示すように、Ｌ字形の形状をなし、第１支柱１１０の上端部近傍の側面に取りつけられている。より具体的には、支柱連結部材１５０は、その一面にボルト１５１を通す２つの孔と、他方の面に後述するボルト１３８を通す２つの孔１５２と、が形成されており、第１支柱１１０の前側面及び後側面の上端部に、ボルト１５１を介して取りつけられている。支柱連結部材１５０を備えることで、後述する第２支柱１３０が、第１支柱１１０上に、安定的に固定され、また、ソーラーパネル架台１００の強度（特に、前後方向の強度）が向上する。なお、本実施形態の支柱連結部材１５０の材質は、ステンレス鋼であるが、アルミニウム、普通鋼等を用いてもよい。
【００２０】
第２支柱１３０は、図１及び図２に示すように、支柱本体１３１と、一対のリブプレート１３２と、ベースプレート１３３と、前方リブプレート１３４と、後方リブプレート１３５と、支持プレート１３６と、からなる。
【００２１】
支柱本体１３１は、本実施形態では、角形鋼管（角パイプ）が用いられている。支柱本体１３１は、第１支柱１１０の上端に連結されるとともに、後述するソーラーパネル支持部材１４０を支持する役割を有する。支柱本体１３１の上端は、図２及び図６に示すように、傾斜角θ（後述）を有するように切断されており、支持プレート１３６が溶接されている。支柱本体１３１の前後側面の上端部近傍には、図２及び図６に示すように、各々、前方リブプレート１３４と、後方リブプレート１３５と、が溶接されている。支柱本体１３１の下端には、図２及び図５に示すように、ベースプレート１３３が溶接されている。支柱本体１３１の前後側面の下端部近傍には、図２及び図５に示すように、一対のリブプレート１３２が溶接されている。
【００２２】
一対のリブプレート１３２が、図５に示すように、支柱本体１３１の下端の前後の側面に溶接されている。リブプレート１３２は、ソーラーパネル架台１００の前後方向の強度を高める役割を果たす。
【００２３】
ベースプレート１３３は、平面視して略長方形であり、ボルト孔（図示せず）が四隅に形成されている。ベースプレート１３３は、図５に示すように、支柱本体１３１の下端部に溶接されるとともに、リブプレート１３２の各々下端部にも溶接されている。ベースプレート１３３は、ボルト１３８を介して、第１支柱１１０上端部に取りつけられた支柱連結部材１５０に固定される。こうすることで、第２支柱１３０を、第１支柱１１０に、安定的に固定することができる。
【００２４】
前方リブプレート１３４及び後方リブプレート１３５は、図６に示すように、支柱本体１３１の上端近傍の前後の側面に各々溶接されている。前方リブプレート１３４及び後方リブプレート１３５は、ソーラーパネル架台１００の前後方向の強度を高める役割を果たす。
【００２５】
支持プレート１３６は、平面視して略長方形であり、ボルト孔（図示せず）が四隅に２個ずつ、計８個形成されている。支持プレート１３６には、図２及び図６に示すように、支柱本体１３１の上端部並びに前方リブプレート１３４及び後方リブプレート１３５の上端部が、支柱本体１３１に対して傾斜角θ（後述）を有するように溶接されている。支持プレート１３６には、図６に示すように、Ｌ字部材１４６を介して後述するソーラーパネル支持部材１４０の縦方向部材１４２がボルト１４８で固定される。その結果、第２支柱１３０に、ソーラーパネル支持部材１４０が安定的に支持される。
【００２６】
なお、リブプレート１３２と、ベースプレート１３３と、前方リブプレート１３４と、後方リブプレート１３５と、支持プレート１３６と、の材質は、ステンレス鋼、アルミニウム等である。また、支柱本体１３１は、丸形鋼管（丸パイプ）又はＨ形鋼からなっていてもよい。
【００２７】
ソーラーパネル支持部材１４０は、図１及び図２に示すように、角形鋼管（角パイプ）で構成される縦方向部材１４２と、溝形鋼で構成される横方向部材１４４と、からなる。縦方向部材１４２は、図６（ａ）に示すように、第２支柱１３０の支持プレート１３６に、Ｌ字部材１４６を介して、ボルト１４８によって取りつけられている。また、５本の横方向部材１４４は、図１に示すように、縦方向部材１４２に対して直角をなし、長手方向に等間隔をあけて、ボルト（図示せず）を介して取りつけられている。横方向部材１４４の上面に、ソーラーパネル１６０が取りつけられる（図３）。このように、横方向部材１４４はソーラーパネル１６０を支持及び固定する役割を果たす。縦方向部材１４２は、図６（ａ）に示すように、第２支柱１３０の支持プレート１３６に、傾斜角θを有するように取りつけられている。これは、ソーラーパネル１６０の受光効率を上げるためである。また、積雪地帯においては、ソーラーパネルの上に雪が積もることで、受光効率が低下するおそれがあり、又は雪の重さでソーラーパネルが破損するおそれがあるため、ソーラーパネルの上に雪が積もりにくくなるように、傾斜角θを通常より鋭角にしてもよい。なお、ソーラーパネル支持部材１４０の材質は、ステンレス鋼、アルミニウム等でもよい。
【００２８】
本発明の実施形態に係るソーラーパネル架台１００は、図３に示すように、横方向に複数並べて設置される。複数設置されるソーラーパネル架台１００のうち、後述するように、地面から第１支柱１１０の上端までの高さが基準高さ（後述）よりも低いソーラーパネル架台１００には、図４（ｂ）で示すように、その高低差（本実施形態では２ｃｍ）を解消するために、第１支柱１１０の上方に、厚さ５ｍｍのスペーサー１２０（図７）を４枚重ねて設置する。より具体的には、スペーサー１２０は、図５（ｂ）で示すように、第１支柱１１０の上端部近傍の前後の側面に取りつけられている支柱連結部材１５０と、第２支柱１３０のベースプレート１３３と、の間に、ボルト１３８を介して挟み込まれるように設置される。スペーサー１２０には、図７に示すように、略長方形の一辺に２箇所、Ｕ字形の切込み１２０ａが形成されている。その材質としては、ステンレス鋼板、メッキ処理された鋼板、アルミニウム板等が好適である。スペーサー１２０を用いることで、後述するように、複数設置されるソーラーパネル架台１００の高さを揃えることができ、設置時のソーラーパネル架台１００全体のゆがみを解消することができる。
【００２９】
次に、本発明の実施形態に係るソーラーパネル架台１００の施工方法を、図面を参照して説明する。
【００３０】
本発明の実施形態に係るソーラーパネル架台１００の施工方法は、
（Ａ）地盤面に第１支柱１１０を複数埋設する工程と、
（Ａ’）各々の第１支柱１００の上端部に支柱連結部材１５０を取りつける工程と、
（Ｂ）地面から各々の第１支柱１１０の上端までの高さを測定する工程と、
（Ｃ）基準高さよりも高さの低い第１支柱１１０の上方にスペーサー１２０を設置して、地面から各々の第１支柱１１０の上端までの高さを揃える工程と、
（Ｄ）スペーサー１２０又は第１支柱１１０の上端に第２支柱１３０を設置する工程と、
（Ｅ）各々の第２支柱１３０の上端に、第２支柱１３０に対して傾斜角θを有するようにソーラーパネル支持部材１４０を取り付ける工程と、
（Ｆ）各々のソーラーパネル支持部材１４０を連結する工程と、
（Ｇ）ソーラーパネル支持部材１４０上にソーラーパネル１６０を敷設する工程と、
を含む。
【００３１】
上記工程（Ａ）について説明する。工程（Ａ）では、地盤面に、第１支柱１１０を、横方向一列に複数埋設する（図３）。この際、第１支柱１１０（Ｈ型鋼）の平面部分をソーラーパネル架台１００の前後の方向となるように埋設する。第１支柱１１０の地盤面への埋設手段としては、通常、バイブロハンマ法、打撃法等が用いられる。
【００３２】
次に、上記工程（Ａ’）について説明する。工程（Ａ’）では、図４（ａ）に示すように、各々の第１支柱１１０の上端部に支柱連結部材１５０を取りつける。より具体的には、第１支柱１１０の前後側面の上端部に、一対の支柱連結部材１５０を、ボルト１５１で締着する。支柱連結部材１５０は、各々の第１支柱１１０の上端に、第２支柱１３０の下端を、連結させるために取りつけられる。支柱連結部材１５０を取りつけることで、第１支柱１１０に第２支柱１３０を安定的に固定することでき、また、ソーラーパネル架台１００の強度（特に、前後方向の強度）を向上させることができる。
【００３３】
次に、上記工程（Ｂ）について説明する。工程（Ｂ）では、地面から、複数埋設された各々の第１支柱１１０の上端までの高さを、レベル計によって測定する。そして、地面から第１支柱１１０の上端までの高さが、基準高さよりも低いものを見つけ出す。本明細書において“基準高さ”とは、ソーラーパネル架台１００の設計段階で定められた、地面から第１支柱１１０の上端までの高さを意味し、設置現場においては、各々の第１支柱１１０において“基準高さ”が達成されるように、第１支柱１１０を地盤面に埋設する。
【００３４】
次に、上記工程（Ｃ）について説明する。工程（Ｃ）では、工程（Ｂ）のレベル計による測定の結果、地面から第１支柱１１０の上端までの高さが、基準高さよりも低い第１支柱１１０について、その上方にスペーサー１２０を設置して、複数埋設された各々の第１支柱１１０の高さを揃える。より具体的には、図４（ｂ）に示すように、他の第１支柱１１０との高低差（本実施形態では、２ｃｍ）を解消するように、工程（Ａ’）で第１支柱１００の上端部に取りつけられた支柱連結部材１５０の上面に、スペーサー１２０（図７）を置く。この際、他の第１支柱１１０との高低差に見合う厚さのスペーサー１２０を用いる（本実施形態では、５ｍｍの厚さのスペーサー１２０を４枚重ねて用いる）。最終的にソーラーパネル支持部材１４０同士が、横方向に連結されることになるが、スペーサー１２０を設置して複数埋設された各々の第１支柱１１０の高さを揃えることで、ソーラーパネル架台１００全体のゆがみを解消することができる。
【００３５】
次に、上記工程（Ｄ）について説明する。工程（Ｄ）では、図５に示すように、スペーサー１２０又は第１支柱１１０の上端に第２支柱１３０を設置する。より具体的には、複数埋設された第１支柱１１０のうち、工程（Ｃ）でその支柱連結部材１５０の上面にスペーサー１２０を置いた場合には、図５（ｂ）に示すように、１対のスペーサー１２０の上面に第２支柱１３０のベースプレート１３３を設置し、ボルト１３８を介して、スペーサー１２０を、ベースプレート１３３と支柱連結部材１５０とで挟み込むようにして固定させる。こうすることで、スペーサー１２０を挟み込んだ状態で、第２支柱１３０のベースプレート１３３を支柱連結部材１５０に固定させることができる。一方で、複数埋設された第１支柱１１０のうち、工程（Ｃ）でその支柱連結部材１５０の上面にスペーサー１２０を置かなかった場合には、図５（ａ）に示すように、第１支柱１１０の上端部及び一対の支柱連結部材１５０の上面に、第２支柱１３０のベースプレート１３３を設置し、ボルト１３８を介して、第２支柱１３０のベースプレート１３３を第１支柱１１０の上端部及び支柱連結部材１５０の上面に固定させる。
【００３６】
次に、上記工程（Ｅ）について説明する。工程（Ｅ）では、図６（ａ）に示すように、各々の第２支柱１３０の上端に、第２支柱１３０に対して傾斜角θを有するようにソーラーパネル支持部材１４０を取り付ける。より具体的には、図６（ａ）に示すように、第２支柱１３０の支持プレート１３６を、ソーラーパネル支持部材１４０の縦方向部材１４２に、Ｌ字部材１４６を介して、ボルト１４８によって取りつける。傾斜角θの詳細については、前述の通りである。
【００３７】
次に、上記工程（Ｆ）について説明する。工程（Ｆ）では、図３に示すように、各々のソーラーパネル支持部材１４０を連結させる。より具体的には、各々のソーラーパネル支持部材１４０の横方向部材１４４の端部同士を、ボルト（図示せず）を介して連結させる。
【００３８】
次に、上記工程（Ｇ）について説明する。工程（Ｇ）では、図１〜図３に示すように、各々のソーラーパネル支持部材１４０上に８枚ずつソーラーパネル１６０を敷設する。
【００３９】
本発明の実施形態に係るソーラーパネル架台１００の施工方法は、第１支柱１１０を地盤面に埋設させるため、従来必要であったコンクリート基礎を施すことなく、簡便にソーラーパネル架台１００を設置することができる。したがって、ソーラーパネル架台設置の工期を短縮し、工事コストを抑えることができる。また、ソーラーパネル架台の解体時においても、コンクリート基礎を破砕、撤去する必要がないため、簡便に行うことができる。
【００４０】
また、本発明の実施形態に係るソーラーパネル架台１００の施工方法は、スペーサー１２０を用いることで、複数設置されるソーラーパネル架台１００間の高さを簡便に揃えることができる。このため、ソーラーパネル架台１００を横方向に複数連結させた時のソーラーパネル架台１００全体のゆがみを解消することができる。
【００４１】
また、本発明の実施形態に係るソーラーパネル架台１００は、第１支柱１１０と、それに連結された第２支柱１３０と、を備え、一本足の構造となっている。従来のソーラーパネル架台は、二本足や四本足の構造であるため、ソーラーパネルの真下の土地はデッドスペースとなっていたが、本発明の実施形態に係るソーラーパネル架台１００は、一本足の構造であるため、ソーラーパネルの真下の土地を、畑や資材置き場等として有効活用することができる。また、積雪地域では、ソーラーパネルの真下に除雪機が入りやすくなる。
【００４２】
また、本発明の実施形態に係るソーラーパネル架台１００は、一対の支柱連結部材１５０と、一対のリブプレート１３２と、前方リブプレート１３４と、後方リブプレート１３５と、を備えるため、特に、ソーラーパネル架台１００の前後方向の強度に優れた構造となっている。
【００４３】
なお、この発明は上記実施の形態に限定されず、種々の変形及び応用が可能である。例えば、本実施形態においては、図６（ａ）に示すように、ソーラーパネル支持部材１４０の縦方向部材１４２が第２支柱１３０の支持プレート１３６に、Ｌ字部材１４６を介して取りつけられている形態について説明したが、図６（ｂ）に示すように、第２支柱１３０の支持プレート１３６の前側部分又は後側部分と、縦方向部材１４２に取りつけられたＬ字部材１４６と、の間に、スペーサー１２５を設置してもよい。ソーラーパネル架台１００を横方向に複数設置した場合、設置後一定期間を経ると、１又は２以上のソーラーパネル架台１００が前方又は後方に傾いで、ソーラーパネル架台１００全体にゆがみが発生する場合がある。１つのソーラーパネル架台１００が前方に傾いだ場合には、その前方に傾いでいるソーラーパネル架台１００の支持プレート１３６の前側部分と、縦方向部材１４２の前側に取りつけられたＬ字部材１４６と、の間に、スペーサー１２５を設置する（図６（ｂ））。一方、１つのソーラーパネル架台１００が後方に傾いだ場合には、その後方に傾いでいるソーラーパネル架台１００の支持プレート１３６の後側部分と、縦方向部材１４２の後側に取りつけられたＬ字部材１４６と、の間に、スペーサー１２５を設置する。こうすることで、ソーラーパネル架台１００を設置した後でも、各々のソーラーパネル架台１００の傾斜角θを揃えることができ、設置後のソーラーパネル架台１００全体に発生したゆがみを修正することができる。スペーサー１２５の構成は、前述のスペーサー１２０と同様でもよい。
【００４４】
また、本実施形態においては、図７に示すように、略長方形の一辺にＵ字型の切り込みを入れた形状のスペーサー１２０の形態について説明したが、ボルト１３８又はボルト１４８を通すことのできる形状のスペーサーであれば特に制限されずに用いることができる。例えば、略長方形に略円形、略楕円形等の孔を設けたスペーサーであってもよい。
【００４５】
また、本実施形態においては、５ｍｍの厚さのスペーサー１２０を４枚重ねて用いる形態について説明したが、スペーサーの厚さは、３ｍｍ、６ｍｍ、９ｍｍ、１２ｍｍ等であってもよい。各々のソーラーパネル架台１００の、地面から第１支柱１１０の上端までの高低差を解消するために、適切な厚さのスペーサーが、単独で又は複数枚重ねて設置される。また、前述の通り、第２支柱１３０の支持プレート１３６の前側部分又は後側部分と、縦方向部材１４２に取りつけられたＬ字部材１４６と、の間に、スペーサーを設置する場合（図６（ｂ））でも、前述同様、適切な厚さのスペーサーが、単独で又は複数枚重ねて設置される。
【００４６】
また、本実施形態においては、上記工程（ＩＩ）の前に支柱連結部材１５０を取りつける工程を行う形態について説明したが、支柱連結部材１５０を取りつける工程は、上記工程（ＩＩ）の後、すなわち、地面から各々の第１支柱１１０の上端までの高さを測定する工程の後に行ってもよい。
【００４７】
また、本実施形態においては、図４（ａ）に示すように、各々の第１支柱１１０の上端部近傍にＬ字型の支柱連結部材１５０を取りつける形態について説明したが、Ｌ字型の支柱連結部材１５０が第１支柱１１０の上端部近傍にあらかじめ取りつけられていてもよいし、略長方形の支柱連結部材が第１支柱１１０の上端にあらかじめ取りつけられていてもよい。
【００４８】
また、本実施形態においては、図６（ａ）に示すように、ソーラーパネル支持部材１４０の縦方向部材１４２がＬ字部材１４６を介して第２支柱１３０の支持プレート１３６に取りつけられている形態について説明したが、Ｌ字部材１４６を用いずに、縦方向部材１４２が直接、ボルトを介して支持プレート１３６に取りつけられていてもよい。
【００４９】
また、本実施形態においては、図１に示すように、縦方向部材１４２に５本の横方向部材１４４が取りつけられた形態について説明したが、縦方向部材１４２に取りつけられる横方向部材１４４の数は、ソーラーパネル１６０の大きさに鑑み、２〜８本とすることができる。
【００５０】
また、本実施形態においては、図１に示すように、ソーラーパネル１６０が１基のソーラーパネル架台１００につき８枚敷設された形態について説明したが、ソーラーパネルの敷設枚数は、ソーラーパネル自体の大きさ又はソーラーパネル支持部材１４０の大きさに鑑み、適宜変更することができる。
【符号の説明】
【００５１】
１００  ソーラーパネル架台
１１０  第１支柱
１２０  スペーサー
１２０ａ  切込み
１２５  スペーサー
１３０  第２支柱
１３１  支柱本体
１３２  リブプレート
１３３  ベースプレート
１３４  前方リブプレート
１３５  後方リブプレート
１３６  支持プレート
１３８  ボルト
１４０  ソーラーパネル支持部材
１４２  縦方向部材
１４４  横方向部材
１４６  Ｌ字部材
１４８  ボルト
１５０  支柱連結部材
１５１  ボルト
１５２  孔
１６０  ソーラーパネル
【図１】
2015078566.tif 000003
【図２】
2015078566.tif 000004
【図３】
2015078566.tif 000005
【図４】
2015078566.tif 000006
【図５】
2015078566.tif 000007
【図６】
2015078566.tif 000008
【図７】
2015078566.tif 000009